(57)【要約】【課題】パターを使った時のスイングが正確に行なえるので、ボールの行方を把握することが可能であり、その結果、ビギナーでも精確にパターが使えて、ゴルフに対する興味が増すことのできるヘッドの方向がコントロール可能なパター構造を提供する。【解決手段】本考案のヘッドの方向がコントロール可能なパター構造は、二段式のシャフトの間に方向移動機能のある要になる軸関節があり、この要になる軸関節は下部シャフトが上部シャフトの振り運動に対応して、簡単に安定した方向性を見つけるようになっている。【選択図】　　図５
0003099694.tif 000002
【実用新案登録請求の範囲】
【請求項１】
シャフトが二段式になっていて、その間に、要の軸関節ユニットがあって、上部シャフトは内部が空洞槽になっていて、手で握りやすいようにグリップが取り付けてあり、下部シャフトもまた、内部が空洞槽になっていて、その上端には手で持ちやすいようにグリップが取り付けてあり、底部には広いフェイスを持ったヘッドがあり、この要になる軸関節ユニットは、固定ユニット及び活動ユニットからなり、固定ユニットは、先端に突起した結合柱があって、この結合柱が上部シャフトの空洞槽に挿入されて結合し一体となり、その底部中央には、下に向かって開放された結合槽があって、側面には、結合槽に貫通した固定穴及びねじ穴があり、活動ユニットは、底部に突起した結合柱があって、結合柱が下部シャフトの空洞槽に挿入されて結合し一体となり、その先端中央には、上に向かって伸びた結合部分があり、結合部分側面には、対応する固定穴及びねじ穴があって、活動ユニットの結合部分が、固定ユニットの結合槽内にはめ込まれ、楔が固定ユニットと活動ユニットの固定穴内に貫通して、固定されて、上下のシャフトが一体となるという特長を持つ、ヘッドの方向がコントロール可能なパター構造。
【請求項２】
要になる軸関節ユニットの固定ユニットと活動ユニットに、ねじ穴があって、調節ねじが、取り付けられて締められて、下部シャフトが上部シャフトの方向に合わせてスイングしないように制限され、一般の長いタイプのパター構造を呈する、請求項１に記載のヘッドの方向がコントロール可能なパター構造。
【考案の詳細な説明】
【０００１】
【考案の属する技術分野】
本考案はヘッドの方向がコントロール可能なパター構造に関する。本考案のヘッドの方向がコントロール可能なパター構造は、二段式のシャフトの間に方向移動機能のある要軸関節を持つことにより、ヘッドをスイングするライン方向が簡単に見つかり、パターを使った時のスイングが正確に行なえるので、ボールの行方を把握することが可能である。
【０００２】
【従来の技術及び課題】
ゴルフの際のスイング動作は、必要に応じて大きく振り上げる場合と、小さく振り上げる場合がある。いいスコアをあげるためには、スイングの正確さが大きく影響する。
図１を参照いただきたい。従来の短いタイプのパターは、シャフト１０の長さが比較的短く、両手で握りやすいように、先端にグリップ１１が取り付けてある。底部先端には適度なフェイス部分を持つヘッド１２がある。ゴルファーは、腹部の前で両手でパターのグリップ１１を握り、体を軸にし、両肩の動きによって腕を一方向に振りヘッド１２を大きく振り上げる（俗に言う振り子作用）ことにより、ヘッド１２のフェイスがボールをたたき、グリーンにころがす。しかしながら、パターをスイングして思うようにボールをころがせるかどうかは、パターのフェイスの中心点と、ゴルフボールの中心点と、ホールの進入点が連なった一本のラインで決まる。パターのスイング過程において、両肩の動きによって腕の振りを導き、一方向に振り上げる時、体が揺れるのは避けられない。これではヘッドを振り上げる方向の軸線を安定したものにできず、ボールをころがる時の技術に影響して、いいスコアが出せないという問題が生じる。
図２を参照いただきたい。従来のもう一つの長いタイプのパターは、シャフト１０が長く、二段式の上下のグリップ１１Ａ、１１Ｂがあって、ゴルファーが片手で胸の前で軽く上部グリップ１１Ａを握り、胸の前につける。もう一方の手で腹部の前で下部グリップ１１Ｂを握り、体と軽く上部グリップ１１Ａを握った腕を軸にする。長いパターのスイング方式は、体を揺らさず、下部グリップ１１Ｂを握った手のみによって、一方に振り、ボールを打ってグリーンにころがす。この長いタイプのパターは片手で、コントロールとスイングができるように改良されているものの、両手を上下の異なった位置に置いて、ヘッド１２のスイング方向の軸線をコントロールしなければならない。そして、これも技術的に差が生じて、スコアに影響するという潜在的な問題がある。
このように、ゴルファーがパターでスイングして、ボールを転がす際、そのスイング過程の精確性はボールのコースに大きく関わっている。しかしながら、ビギナーにとって、このテクニックを習得するのは容易ではない。技術的な未熟さをパターの構造でフォローできれば、ビギナーのゴルフに対する興味が失せるのを防ぐことができるはずである。
【０００３】
【課題を解決するための手段】
本考案のヘッドの方向がコントロール可能なパター構造は、二段式のシャフトの間に方向移動機能のある要軸関節があり、この要になる軸関節は下部シャフトが上部シャフトの振り運動に対応して、簡単に安定した方向性を見つけるので、パターを使った時のスイングが正確に行なえるので、ボールの行方を把握することが可能である。
【０００４】
【考案の実施の形態】
図３、図４、図５を参照いただきたい。本考案のヘッドの方向がコントロール可能なパター構造は、シャフト２０、２１が二段式になっていて、その間に、要の軸関節ユニットがある。
そのうち、上部シャフト２０は、従来のタイプと同じで内部が空洞槽２０１になっていて、手で握りやすいようにグリップ２２が取り付けてある。
下部シャフト２１もまた、従来のタイプと同じで内部が空洞槽２１１になっていて、その上端には手で持ちやすいようにグリップ２３が取り付けてあり、底部には広いフェイスを持ったヘッド２４がある。
【０００５】
この要になる軸関節ユニットは、固定ユニット３０及び活動ユニット４０からなる。固定ユニット３０は、先端に突起した結合柱３１があって、固定ユニット３０は結合柱３１が上部シャフト２０の空洞槽２０１に挿入されて結合し一体となる。固定ユニット３０底部中央には、下に向かって開放された結合槽３２がある。固定ユニット３０側面には、結合槽３２に貫通した固定穴３３及びねじ穴３４がある。活動ユニット４０は、底部に突起した結合柱４１があって、活動ユニット４０は結合柱４１が下部シャフト２１の空洞槽２１１に挿入されて結合し一体となる。活動ユニット４０先端中央には、上に向かって伸びた結合部分４２があり、結合部分４２側面には、対応する固定穴４３及びねじ穴４４がある。
【０００６】
図４を参照いただきたい。下部シャフト２１は、活動ユニット４０の結合部分４２が、上部シャフト２０の固定ユニット３０の結合槽３２内にはめ込まれ、楔５０が固定ユニット３０と活動ユニット４０の固定穴３３、４３内に貫通して、固定される。そして、調節ねじ５１が、固定ユニット３０と活動ユニット４０のねじ穴３４、４４に取り付けられて締められる。こうして、上下のシャフトの間の結合が制限されて、図２の従来の長いタイプのパター機能と同様になる。外に向かってねじで調節する調節ねじ５１は、活動ユニット４０のねじ穴４４を離脱し、下部シャフト２１は楔５０を軸とし、上部シャフト２０の操作定点に対応して振り子運動を行なう。下部シャフト２１が定点振り子運動を行なう時、その結合部分４２は、固定ユニット３０の結合槽３２の設置方向にしたがって、方向が制限されたスイング軸ラインが決まる。図５に示したように、ゴルファーが片手で胸の前で上部シャフト２０のグリップ２２を握り、揺れないようにする。そして、もう一方の手で軽く下部シャフト２１のグリップ２３を握り、スイングを行なう。固定ユニット３０の結合槽３２の設置方向にしたがい、下部シャフト２１とその底部のヘッド２４は、方向が制限されたスイング軸ラインが決まる。簡単に言えば、ゴルファーは、上部シャフト２０を揺れないようにして、その結合槽３２の方向を保てば、パターによるスイングが精確に行なえて、ボールの行方を楽にコントロールできるのである。
【０００７】
【考案の効果】
本考案のヘッドの方向がコントロール可能なパター構造は、二段式のシャフトの間に方向移動機能のある要の軸関節があり、この要になる軸関節は下部シャフトが上部シャフトの振り運動に対応して、簡単に安定した方向性を見つけるので、パターを使った時のスイングが正確に行なえるので、ボールの行方を把握することが可能である。したがって、ビギナーでも精確にパターが使えて、ゴルフに対する興味が増すという効果がある。
【図面の簡単な説明】
【図１】従来の短いタイプのパターの外観図である。
【図２】従来のもう一つのタイプのパターの外観図である。
【図３】本考案のヘッドの方向がコントロール可能なパター構造の、パター構造の分解図である。
【図４】本考案のヘッドの方向がコントロール可能なパター構造の、パター構造の組立図である。
【図５】本考案のパターの操作コントロールの方向を示した図である。
【符号の説明】
１０　　　シャフト　　　　　　　　１１　　　グリップ
１２　　　ヘッド　　　　　　　　　２０　　　上部シャフト
２１　　　下部シャフト　　　　　　２０１、２１１　　　空洞槽
２２、２３　　　グリップ　　　　　２４　　　ヘッド
３０　　　固定ユニット　　　　　　３１　　　結合柱
３２　　　結合槽　　　　　　　　　３３　　　固定穴
３４　　　ねじ穴　　　　　　　　　４０　　　活動ユニット
４１　　　結合柱　　　　　　　　　４２　　　結合部分
４３　　　固定穴　　　　　　　　　４４　　　ねじ穴
５０　　　楔　　　　　　　　　　　５１　　　調節ねじ
【図１】
0003099694.tif 000003
【図２】
0003099694.tif 000004
【図３】
0003099694.tif 000005
【図４】
0003099694.tif 000006
【図５】
0003099694.tif 000007